(57)【要約】【課題】背景板を確実に保持して耐振性能を向上させることが可能な指針式計器を提供する。【解決手段】背景板６と、この背景板６を観察者側とは反対側から支持するフレーム体５と、このフレーム体５に対し固定配置される駆動本体３と、この駆動本体３の指針軸３１に連結され背景板６の観察者側を向く面上で回転する指針４と、この指針４及び背景板６を透視可能に覆うと共に指針４に対応した指標部７１が設けられる透視パネル７とを備え、背景板６の観察者側を向く面上に、フレーム体５との間で背景板６を挟み付けて保持する保持部材９を設けた。【選択図】図１
2008298503.tif 000002
【特許請求の範囲】
【請求項１】
背景板と、
この背景板を観察者側とは反対側から支持するフレーム体と、
このフレーム体に対し固定配置される駆動本体と、
この駆動本体の指針軸に連結され前記背景板の前記観察者側を向く面上で回転する指針と、
この指針及び前記背景板を透視可能に覆うと共に前記指針に対応した指標部が設けられる透視パネルとを備え、
前記背景板の前記観察者側を向く面上に、前記フレーム体との間で前記背景板を挟み付けて保持する保持部材を設けたことを特徴とする指針式計器。
【請求項２】
前記保持部材が前記指針の回転中心周囲に位置する前記背景板の第１の所定領域を保持する第１の保持部と、前記背景板の外周部に位置する第２の所定領域を保持する第２の保持部とを有することを特徴とする請求項１記載の指針式計器。
【請求項３】
第１の保持部と前記第２の保持部とが連結部を有することを特徴とする請求項１記載の指針式計器。
【発明の詳細な説明】
【技術分野】
【０００１】
本発明は、例えば各種車両に適用される指針式計器に関し、特に背景板と、指標部を有する透視板とを指針を隔てて離間させてなるタイプの指針式計器に係わる。
【背景技術】
【０００２】
この種の指針式計器として、例えば下記特許文献１に記載されているものが知られている。この指針式計器は、暗色の背景板（地板５）と、この背景板を観察者側とは反対側から支持するフレーム体（ケーシング１）と、このフレーム体に対し固定配置される駆動本体（計器本体２）と、この駆動本体の指針軸に連結され前記背景板の前記観察者側を向く面上で回転する指針（指針４）と、この指針及び前記背景板を透視可能に覆うと共に前記指針に対応した指標部（表示部７）が設けられる透視パネル（透明保護板６）とを備えており、背景板と指標部とが指針を隔てて離間配置されることで立体的な見映えを達成している。
【特許文献１】実開昭６０−０５９９２０号公報（第１図）
【発明の開示】
【発明が解決しようとする課題】
【０００３】
しかしながら、前記特許文献１記載の指針式計器は、背景板を支持するにあたり、フレーム体上に背景板を載せて支持しているだけであるため、車両等の過酷な環境下で使用するには、耐振性能に乏しいという問題があった。
【０００４】
本発明は、この点に鑑みてなされたもので、背景板を確実に保持して耐振性能を向上させることが可能な指針式計器を提供するものである。
【課題を解決するための手段】
【０００５】
本発明は、前記目的を達成するため、背景板と、この背景板を観察者側とは反対側から支持するフレーム体と、このフレーム体に対し固定配置される駆動本体と、この駆動本体の指針軸に連結され前記背景板の前記観察者側を向く面上で回転する指針と、この指針及び前記背景板を透視可能に覆うと共に前記指針に対応した指標部が設けられる透視パネルとを備え、前記背景板の前記観察者側を向く面上に、前記フレーム体との間で前記背景板を挟み付けて保持する保持部材を設けたことを特徴とする。
【０００６】
また本発明は、前記保持部材が前記指針の回転中心周囲に位置する前記背景板の第１の所定領域を保持する第１の保持部と、前記背景板の外周部に位置する第２の所定領域を保持する第２の保持部とを有することを特徴とする。
【０００７】
また本発明は、第１の保持部と前記第２の保持部とが連結部を有することを特徴とする。
【発明の効果】
【０００８】
本発明によれば、初期の目的を達成でき、背景板を確実に保持して耐振性能を向上させることが可能な指針式計器を提供することができる。
【発明を実施するための最良の形態】
【０００９】
図１〜図３は、本発明の一実施形態を示すもので、図１は指針式計器の要部断面図、図２は保持部材を示す斜視図である。
【００１０】
図１において、本実施形態による指針式計器は、背面カバー１と、回路基板２と、駆動本体３と、指針４と、フレーム体５と、背景板６と、透視パネル７と、隠蔽部材８と、保持部材９とで構成されている。
【００１１】
背面カバー１は、合成樹脂からなり、回路基板２の背面（観察者側とは反対側の面）を覆うものである。
【００１２】
回路基板２は、指針４、背景板６、透視パネル７を照明する複数の光源２１の他、図示しない回路パターンや各種回路素子が設けられた硬質の回路基板からなる。
【００１３】
駆動本体３は、例えばステッピングモータからなり、主要部が回路基板２の背面側に位置すると共に、指針軸３１が回路基板２を貫通して観察者側に延びている。
【００１４】
指針４は、計測量に応じて背景板６の観察者側を向く面上で回転するように指針軸３１に連結され、透視パネル７に設けた後述する指標部を支持すると共に、光源２１からの光を受けて発光する。
【００１５】
フレーム体５は、例えば乳白色の合成樹脂からなり、回路基板２の観察者側を向く面上に配置され、背景板６を観察者側とは反対側から支持すると共に、光源２１を通じて指針４、背景板６、透視パネル７を照明する際の照明室を形成するものである。
【００１６】
このフレーム体５は、指針軸３１の周囲を取り巻く筒状部５１と、この筒状部５１の側部から傾斜して観察者側に延びると共に、光源２１の光を放射状に反射する反射部及び背景板６の中央部を支持部としても機能する第１の支持部５２と、この第１の支持部５２によって反射した光を背景板６との間で相互反射する反射部５３と、背景板６の外周部を支持する第２の支持部５４とを有している。
【００１７】
背景板６は、その全面が外光反射時及び光源２１の光を観察者側に透過した際に、例えばグレー色に見える合成樹脂板からなり、具体的には、透明もしくは半透明の合成樹脂板にグレー色の透過性着色層を印刷したものを用いることができる。また背景板６は、保持部材９の後述する第１，第２の保持部に対応する第１，第２の所定領域６１，６２を有している。
【００１８】
透視パネル７は、透明な合成樹脂からなり、その観察者側を向く面とは反対側の面には、指針４に対応した目盛、数字等の指標部７１が例えば白色の印刷層により形成されている。またこの透視パネル７は、保持部材９を通じて指針４の観察者側に保持されている。なお保持部材９によって透視パネル７を保持する場合は、照明の影となることを防ぐため、指標部７１を避けた透視パネル７箇所を保持するのが望ましい。
【００１９】
隠蔽部材８は、例えばグレー色の合成樹脂からなり、指針４の回転中心部を隠蔽するように透視パネル７に設けられている。
【００２０】
保持部材９も例えばグレー色の合成樹脂からなり、第１の保持部９１と、第２の保持部９２と、連結部９３とを有している。また保持部材９は、透視パネル７や後述するように背景板６を保持する機能の他に、透視パネル７との間を通して不要部が見えてしまうことを防止する遮蔽部材としても機能も有している。
【００２１】
第１の保持部９１は、平面形状が略円形であり、フレーム体５の第１の支持部５２との間で、指針４の回転中心周囲に位置する背景板６の第１の所定領域６１を挟み付けて保持するものである。
【００２２】
第２の保持部９２は、リング状であり、フレーム体５の第２の支持部５４との間で背景板６の外周部に位置する第２の所定領域６２を挟み付けて保持するものである。
【００２３】
連結部９３は、第１の保持部９１と、第２の保持部９２とを繋いで一体部品とするものである。なお保持部材９は適宜固定手段を通じてフレーム体５に固定配置されている。
【００２４】
以上のように、本実施形態では、背景板６と、この背景板６を観察者側とは反対側から支持するフレーム体５と、このフレーム体５に対し固定配置される駆動本体３と、この駆動本体３の指針軸３１に連結され背景板６の観察者側を向く面上で回転する指針４と、この指針４及び背景板６を透視可能に覆うと共に指針４に対応した指標部７１が設けられる透視パネル７とを備え、背景板６の観察者側を向く面上に、フレーム体５との間で背景板６を挟み付けて保持する保持部材９を設けたことにより、背景板６を確実に保持することが可能となり、耐振性能を向上させることができる。
【００２５】
また本実施形態では、保持部材９が指針４の回転中心周囲に位置する背景板６の第１の所定領域６１を保持する第１の保持部９１と、背景板６の外周部に位置する第２の所定領域６２を保持する第２の保持部９２とを有することにより、背景板６の指針４の回転中心周囲に位置する中央領域と外周領域とをフレーム体５との間で挟み付け固定することができるため、背景板を一層確実に保持することができる。
【００２６】
また本発明は、第１の保持部９１と第２の保持部９２とが連結部９３を有することにより、保持部材９を一部品として部品点数の増加を抑えることができる。
【図面の簡単な説明】
【００２７】
【図１】本発明の一実施形態を示す指針式計器の要部断面図。
【図２】保持部材を示す斜視図。
【符号の説明】
【００２８】
１  背面カバー
２  回路基板
３  駆動本体
４  指針
５  フレーム体
６  背景板
７  透視パネル
８  隠蔽部材
９  保持部材
２１  光源
３１  指針軸
５１  筒状部
５２  第１の支持部
５３  反射部
５４ 支持部
６１，６２  １，第２の所定領域
７１  指標部
９１  第１の保持部
９２  第２の保持部
９３ 連結部
【図１】
2008298503.tif 000003
【図２】
2008298503.tif 000004